(57)【要約】【課題】紫外線照射量を測定、監視することにより、流入液を確実に消毒できるものを提供すること。【解決手段】本発明による紫外線消毒システム１１は、下水処理システム１００内の最終沈殿池６で分離された二次処理水１ｆが流入する流入槽５０を備える。また、この流入槽５０内の二次処理水１ｆ中に設けられ、二次処理水１ｆに対して紫外線１３を照射することにより消毒する紫外線光源２１を備える。さらに、紫外線光源２１の紫外線照射量を測定する紫外線測定装置２２を備える。【選択図】図４
2008068203.tif 000002
【特許請求の範囲】
【請求項１】
流入液が流入する流入槽と、
この流入槽内に設けられ、流入液に対して紫外線を照射することにより流入液を消毒する紫外線光源と、
該紫外線光源からの紫外線照射量を測定する紫外線測定装置と、
を備えたことを特徴とする紫外線消毒システム。
【請求項２】
紫外線測定装置は、紫外線モニタを有することを特徴とする請求項１記載の紫外線消毒システム。
【請求項３】
紫外線モニタは、流入液中であって紫外線光源に隣接した位置に配置されていることを特徴とする請求項２記載の紫外線消毒システム。
【請求項４】
紫外線モニタは、流入液の外部に配置されることを特徴とする請求項２記載の紫外線消毒システム。
【請求項５】
紫外線測定装置は、少なくとも２つ以上の紫外線モニタからなり、一方の紫外線モニタは流入液中であって紫外線光源に隣接した位置に配置され、他方の紫外線モニタは流入液の外部に配置されることを特徴とする請求項２記載の紫外線消毒システム。
【請求項６】
紫外線測定装置は、紫外線光源から照射された紫外線を伝送する光ファイバーと、この光ファイバーに接続され、紫外線を電気信号に変換する光／電気信号変換器とを有することを特徴とする請求項１記載の紫外線消毒システム。
【請求項７】
紫外線測定装置は、光ファイバーの紫外線光源側端部に接続され、紫外線光源により照射された紫外線を可視光に変換すると共に、この変換された可視光を光ファイバーに導く蛍光体を、更に有することを特徴とする請求項６記載の紫外線消毒システム。
【請求項８】
紫外線測定装置は、紫外線光源から照射された紫外線を反射する反射ミラーと、反射ミラーにより反射された紫外線を反射伝送すると共に、内面が鏡面加工された中空棒又はフレキシブル中空パイプと、該中空棒又は該フレキシブル中空パイプの内部に配置され、紫外線を電子信号に変換する光／電気信号変換器とを有することを特徴とする請求項１記載の紫外線消毒システム。
【請求項９】
紫外線測定装置に接続され、紫外線測定装置により測定された紫外線光源からの紫外線照射量に基づいて、該紫外線光源の寿命を判定する紫外線光源寿命判定手段を、更に備えたことを特徴とする請求項１乃至９のいずれか１項に記載の紫外線消毒システム。
【請求項１０】
紫外線測定装置に接続され、紫外線測定装置により測定された紫外線光源からの紫外線照射量に基づいて、該紫外線光源から照射される紫外線照射量の過不足を判定する紫外線照射量判定手段を、更に備えたことを特徴とする請求項１乃至９のいずれか１項に記載の紫外線消毒システム。
【請求項１１】
紫外線測定装置は、紫外線透過性の固体材料からなる保護カバーで覆われていることを特徴とする請求項１乃至１１のいずれか１項に記載の紫外線消毒システム。
【請求項１２】
流入液が流入槽に流入する部分に、流入液の流入量を自動又は手動で調整する手段を設けたことを特徴とする特許請求項第１乃至１４のいずれか１項に記載の紫外線消毒システム。
【発明の詳細な説明】
【技術分野】
【０００１】
本発明は、流入液を消毒する紫外線消毒システムに関する。
【背景技術】
【０００２】
従来、上下水道の殺菌、消毒、脱色や、工業用水の脱臭、脱色、あるいはパルプの漂白、さらには医療機器の殺菌等を行うために、オゾンや塩素等の薬品が用いられていた。
【発明の開示】
【発明が解決しようとする課題】
【０００３】
しかしながら、上下水道における従来の消毒装置では、オゾンや薬品を最終沈殿池で分離された上澄み液に均一に溶けこますために、滞留槽やスプレーポンプ等の攪拌装置が必需品であった。また、水質や水量の変化に対して即座には対応できず、従来の消毒装置の処理能力の上限を超えるしまう場合があった。しかしながら、この紫外線消毒装置を上下水道に適用すると紫外線光源は目に触れない場所に設置されることになるため、光源の交換時期や発生させる紫外線の強度が適切であるか等の判断が困難になる場合があった。
【０００４】
本発明は、このような点を考慮してなされたものであり、攪拌装置を必要としない紫外線により消毒を行うことができ、かつ、照射される紫外線の量を測定、監視することにより、流入液（とりわけ、上澄み液）を確実に消毒できる紫外線消毒システムを提供することを目的とする。
【課題を解決するための手段】
【０００５】
本発明は、流入液が流入する流入槽と、この流入槽に設けられ、流入液に対して紫外線を照射することにより流入液を消毒する紫外線光源と、該紫外線光源からの紫外線照射量を測定する紫外線測定装置と、を備えたことを特徴とする紫外線消毒システムである。
【０００６】
本発明は、紫外線測定装置は、紫外線モニタを有することを特徴とする紫外線消毒システムである。
【０００７】
本発明は、紫外線モニタは、流入液中であって紫外線光源に隣接した位置に配置されていることを特徴とする紫外線消毒システムである。
【０００８】
本発明は、紫外線モニタは、流入液の外部に配置されることを特徴とする紫外線消毒システムである。
【０００９】
本発明は、紫外線測定装置は、少なくとも２つ以上の紫外線モニタからなり、一方の紫外線モニタは流入液中であって紫外線光源に隣接した位置に配置され、他方の紫外線モニタは流入液の外部に配置されることを特徴とする紫外線消毒システムである。
【００１０】
本発明は、紫外線測定装置は、紫外線光源から照射された紫外線を伝送する光ファイバーと、この光ファイバーに接続され、紫外線を電気信号に変換する光／電気信号変換器とを有することを特徴とする紫外線消毒システムである。
【００１１】
本発明は、紫外線測定装置は、光ファイバーの紫外線光源側端部に接続され、紫外線光源により照射された紫外線を可視光に変換すると共に、この変換された可視光を光ファイバーに導く蛍光体を、更に有することを特徴とする紫外線消毒システムである。
【００１２】
本発明は、紫外線測定装置は、紫外線光源から照射された紫外線を反射する反射ミラーと、反射ミラーにより反射された紫外線を反射伝送すると共に、内面が鏡面加工された中空棒又はフレキシブル中空パイプと、該中空棒又は該フレキシブル中空パイプの内部に配置され、紫外線を電気信号に変換する光／電気信号変換器とを有することを特徴とする紫外線消毒システムである。
【００１３】
本発明は、紫外線測定装置に接続され、紫外線測定装置により測定された紫外線光源からの紫外線照射量に基づいて、該紫外線光源の寿命を判定する紫外線光源寿命判定手段を、更に備えたことを特徴とする紫外線消毒システムである。
【００１４】
本発明は、紫外線測定装置に接続され、紫外線測定装置により測定された紫外線光源からの紫外線照射量に基づいて、該紫外線光源から照射される紫外線照射量の過不足を判定する紫外線照射量判定手段を、更に備えたことを特徴とする紫外線消毒システムである。
【００１５】
本発明は、紫外線測定装置は、紫外線透過性の固体材料からなる保護カバーで覆われていることを特徴とする紫外線消毒システムである。
【００１６】
本発明は、流入液が流入槽に流入する部分に、流入液の流入量を自動又は手動で調整する手段を設けたことを特徴とする紫外線消毒システムである。
【発明の効果】
【００１７】
本発明によれば、紫外線光源から照射される紫外線を紫外線モニタで監視、測定することで、紫外線光源の交換、調整を適切な時期に行うことができ、これによって二次処理水を確実に消毒できる紫外線消毒システムの提供ができる。
【発明を実施するための最良の形態】
【００１８】
第１の実施の形態
以下、本発明に係る紫外線消毒システム１１の実施の形態について、図面を参照して説明する。ここで、図１乃至図３は本発明の第１の実施の形態を示す図である。
【００１９】
まず、図１により下水処理システム１００全体について述べる。
【００２０】
図１に示すように下水処理システム１００は、下水１ａが流入する汚水調整池２と、汚水調整池２に接続され汚水調整池２からの下水１ｂが流入する最初沈殿池３と、最初沈殿池３に接続され最初沈殿池３からの一次処理水１ｃが流入するエアレーションタンク５と、エアレーションタンク５に接続されエアレーションタンク５からの一次処理水１ｄが流入する最終沈殿池６と、最終沈殿池６に接続され最終沈殿池６からの二次処理水１ｅが流入する貯蔵池８と、貯蔵池８に接続され貯蔵池８からの二次処理水１ｆが流入する紫外線消毒システム１１とを備えている。なお、紫外線消毒システム１１からの処理水は二次処理水１ｇとして外部に排出される。
【００２１】
また、最初沈殿池３からの余剰汚泥４ｃは濃縮タンク９に送られる。また、最終沈殿池６からの活性汚泥の一部は返送汚泥４ａとしてエアレーションタンク５へ返送され、残りの活性汚泥は余剰汚泥４ｂとして濃縮タンク９に送られる。濃縮タンク９で濃縮された汚泥は脱水機１０において脱水され、その後、脱水汚泥は焼却炉で焼却される。
【００２２】
次に図３により、下水処理システム１００に組み込まれた本発明による紫外線消毒システム１１について述べる。
【００２３】
図３に示すように、紫外線消毒システム１１は、下水処理システム１００内の最終沈澱池６で分離され貯蔵池８に貯えられた二次処理水１ｆが流入する流入槽５０と、この流入槽５０内の二次処理水１ｆ中に設けられ、二次処理水１ｆに対して紫外線１３を照射することにより二次処理水１ｆを消毒する紫外線光源２１と、紫外線光源２１の紫外線照射量を検出する紫外線モニタ１２と、紫外線モニタ１２で検出された紫外線１３を測定する測定部２５とを備えている。なお、この紫外線モニタ１２と測定部２５とにより紫外線測定装置２２が構成されている。
【００２４】
このうち紫外線モニタ１２は流入槽５０内の二次処理水１ｆ中であって、紫外線光源２１に隣接した位置に配置されている。
【００２５】
紫外線１３を生成する紫外線光源２１としては、水銀ランプ、エキシマランプ、ＬＥＤ等を用いることができる。例えば、紫外線光源２１として低圧の水銀ランプを用いると、波長２５４nm、１８５nmの紫外線１３を発生させることができ、紫外線光源２１としてエキシマランプを用いると、キセノン、クリプトン、アルゴンを励起媒質とした場合には、波長１７２nm、１４６nm、１２６nmの紫外線１３をそれぞれ発生させることができる。
【００２６】
また、図２に示すように、貯蔵池８と紫外線消毒システム１１との間には連通路３０が設けられ、この連通路３０には貯蔵池８からの二次処理水１ｆの流量を調整するポンプ等の動力機器３１が設けられている。なお、ポンプ等の動力機器３１の代わりに可動バルブ３２、可動堰３３等を用いても良い。
【００２７】
次に、このような構成からなる本実施の形態の作用について述べる。
【００２８】
図１乃至図３に示す下水処理システム１００を用いることで、家庭や工場等から排出された下水１ａを、川や海等に放流できる水質にまで浄化することができる。
【００２９】
すなわち、図１乃至図３に示すように、まず、家庭や工場等から排出された下水１ａは汚水調整池２に流入し、次に、下水１ｂは汚水調整池２から最初沈殿池３に流入し、ここで下水１ｂは一次処理水１ｃと沈殿物である余剰汚泥４ｂに分離される。次に、一次処理水１ｃはエアレーションタンク５に流入し、ここで生物や薬品等の処理を受ける。次に、エアレーションタンク５からの一次処理水１ｄは最終沈殿池６に流入し、ここで一次処理水１ｄは二次処理水１ｅと活性汚泥４ａ、４ｂとに分離される。次に、最終沈殿池６からの二次処理水１ｅは貯蔵池８に流入する。次に、貯蔵池８からの二次処理水１ｆは紫外線消毒システム１１に流入し、ここで二次処理水１ｆは紫外線光源２１により消毒され、その後、川や海等に放流水１ｇとして放流される。
【００３０】
図１乃至図３に示すように、最初沈殿池３で分離された余剰汚泥４ｃは、濃縮タンク９に流入し、この濃縮タンク９内で濃縮される。また、最終沈殿池６で分離された活性汚泥の一部は、返送汚泥４ａとしてエアレーションタンク５に返送され、再度、生物や薬品等の処理を受け、残りの活性汚泥は余剰汚泥４ｂとして濃縮タンク９に流入して、濃縮される。そして、濃縮タンク９で濃縮された余剰汚泥４ｂ、４ｃは、脱水機１０で更に水分を抜かれたのち、焼却されるか、又は肥料等として再生される。
【００３１】
次に、図１乃至図３により、紫外線消毒システム１１の作用について詳述する。
【００３２】
図１乃至図３に示す紫外線消毒システム１１において、紫外線光源２１から二次処理水１ｆに対して紫外線１３が照射され、このことにより、二次処理水１ｆが消毒される。この間、紫外線光源２１から照射される紫外線１３が紫外線モニタ１２で検出し、測定部２５で測定される。その測定された測定結果に基づき、紫外線光源２１の運転状況が把握される。このため、紫外線光源２１がその寿命に近づいている場合、あるいは紫外線光源２１の照射する紫外線１３の量が不足している場合等を把握することができる。そのため、早急に紫外線光源２１を交換、調整すること等ができる。
【００３３】
また、二次処理水１ｆが流入槽５０に流入する流通路３０に、二次処理水１ｆの流入量を自動又は手動で調整するポンプ等の動力機器３１、可動バルブ３２又は可動堰３３等を設けることにより、二次処理水１ｆの流入槽５０への流入量を調整することができる。このため、紫外線消毒システム１１の処理能力内で処理ができるよう、紫外線光源２１からの紫外線照射量に応じて、二次処理水１ｆの流入量を調整することができる。そのため、流入槽５０に流入する二次処理水１ｆに照射される紫外線１３の量が不足することはなく、紫外線１３によって二次処理水１ｆを確実に消毒することができる。
【００３４】
第２の実施の形態
次に図４により本発明の第２の実施の形態について説明する。図４に示す第２の実施の形態は、紫外線光源２１及び紫外線モニタ１２ａ、１２ｂの配置構造が異なるものであり、他は図１乃至図３に示す第１の実施の形態と略同一である。
【００３５】
図４に示す第２の実施の形態において、図１乃至図３に示す第１の実施の形態と同一部分には同一符号を付して詳細な説明は省略する。
【００３６】
図４に示すように、紫外線消毒システム１１は、二次処理水１ｆが流入する流入口５０ａと処理液１ｇが流出する流出口５０ｂとを有する流入槽５０と、流入槽５０内に設置された紫外線光源２１と、紫外線光源２１からの紫外線照射量を検出する一対の紫外線モニタ１２ａ、１２ｂと、一対の紫外線モニタ１２ａ、１２ｂで検出された紫外線１３を測定する測定部２５とを備えている。このうち流入槽５０内には、流入槽５０内を貫通する透明材からなる円筒性の透明円筒体５０ｃが設けられ、紫外線光源２１はこの透明円筒体５０ｃ内の大気中に配置され、透明円筒体５０ｃを介して流入槽５０内の二次処理水１ｆに対して紫外線１３を照射するようになっている。
【００３７】
また、一方の紫外線モニタ１２ａは透明円筒体５０ｃ内に配置された紫外線光源２１の下方近傍に配置され、他方の紫外線モニタ１２ｂは流入槽５０の壁面５０ｄに設けられた開口５０ｅ外部に設けられている。
【００３８】
図４に示すように、紫外線モニタ１２ａは紫外線光源２１に隣接した位置、すなわち紫外線光源２１の下方近傍に配置されている。このことにより、紫外線モニタ１２ａにより二次処理水１ｆ、ガス等の外部要因による影響を受けずに紫外線光源２１から照射される紫外線１３を直接的に検出できる。このため、紫外線光源２１から照射される紫外線１３の量をより正確に検出できるので、紫外線光源２１がその寿命に近づいている場合、紫外線光源２１の照射する紫外線１３の量が不足している場合等を把握することができる。従って、迅速かつ早急に紫外線光源２１を交換、調整すること等ができ、流入槽５０に流入する二次処理水１ｆに照射される紫外線１３の量が不足することはなく、二次処理水１ｆを確実に消毒することができる。
【００３９】
また、紫外線モニタ１２ｂが二次処理水１ｆの外部に配置されることにより、紫外線光源２１から照射される紫外線１３を、二次処理水１ｆを通して紫外線モニタ１２ｂにより検出することができる。このため、紫外線モニタ１２ａで検出し、測定部２５により測定された紫外線１３の照射量と、紫外線モニタ１２ｂで検出し、測定部２５により測定された紫外線１３の照射量とを比較することにより、二次処理水１ｆの水質変化を把握することができる。
【００４０】
さらに、紫外線光源２１は透明円筒体５０ｃ内大気中に配置され、水中に配置されていないので、紫外線光源２１に二次処理水１ｆによる汚れが付着することを防止することができ、これによって紫外線光源２１が故障する頻度を低くすることもできる。
【００４１】
第３の実施の形態
次に図５により本発明の第３の実施の形態について説明する。図５に示す第３の実施の形態は、紫外線消毒システム１１の紫外線光源２１ａ、２１ｂ及び紫外線モニタ１２ａ、１２ｂの配置構造が異なるものであり、他は図１乃至図３に示す第１の実施の形態と略同一である。
【００４２】
図５に示す第２の実施の形態において、図１乃至図３に示す第１の実施の形態と同一部分には同一符号を付して詳細な説明は省略する。
【００４３】
図５に示すように、紫外線消毒システム１１は、二次処理水１ｆが流入する流入槽５０と、流入槽５０内の二次処理水１ｆ中に上下方向に並んで配置された一対の紫外線光源２１ａ、２１ｂとを備えている。ここで、流入槽５０は二次処理水１ｆが流入する流入路の形態を有している。
【００４４】
また、二次処理水１ｆ中にある紫外線光源２１ａ、２１ｂの側面に一方の紫外線モニタ１２ａが備えられており、流入槽５０の二次処理水１ｆ外部上方に、他方の紫外線モニタ１２ｂが備えられている。
【００４５】
図５に示すように、紫外線モニタ１２ａが紫外線光源２１ａ、２１ｂ側面に設けられているので、紫外線光源２１ａから照射される紫外線１３を、紫外線光源２１ａの側面右側に配置された紫外線モニタ１２ａにより直接的に検出することができ、紫外線光源２１ｂから照射される紫外線１３を、紫外線光源２１ｂの側面右側に配置された紫外線モニタ１２ａにより直接的に検出することができる。このように、紫外線光源２１ａ、２１ｂから照射される紫外線１３の量をより直接的に検出できるので、紫外線光源２１ａ、２１ｂがその寿命に近づいている場合、紫外線光源２１ａ、２１ｂの照射する紫外線１３の量が不足している場合等をより正確に把握することができる。そのため、早急に紫外線光源２１ａ、２１ｂを交換、調整すること等ができ、流入槽５０に流入する二次処理水１ｆに照射される紫外線１３の量が不足することはなく、二次処理水１ｆを確実に消毒することができる。
【００４６】
また、紫外線モニタ１２ｂが二次処理水１ｆの外部に配置されることにより、紫外線光源２１ａ、２１ｂのうちとりわけ上方の紫外線光源２１ａから照射される紫外線１３を、二次処理水１ｆを通して紫外線モニタ１２ｂにより検出することができる。このため、紫外線光源２１ａ、２１ｂの紫外線モニタ１２ａで検出し、測定部２５で測定された紫外線１３の量と、紫外線モニタ１２ｂで検出し、測定部２５で測定された紫外線１３の量とを比較することにより、二次処理水１ｆの水質変化を把握することもできる。
【００４７】
さらに、紫外線光源２１ａ、２１ｂが水中に配置されているので、効率よく紫外線１３を二次処理水１ｆに照射することができ、二次処理水１ｆの消毒をより確実に行うことができる。
【００４８】
第４の実施の形態
次に図６により本発明の第４の実施の形態について説明する。図６に示す第４の実施の形態は紫外線モニタ１２に紫外線光源寿命判定手段４１が接続され、この紫外線光源寿命判定手段４１により紫外線モニタ１２により検出し、測定部２５で測定された紫外線光源２１からの紫外線照射量に基づいて、紫外線光源２１の寿命を判定するものであり、他は図１乃至図３に示す第１の実施の形態と略同一である。
【００４９】
図６に示す第４の実施の形態において、図１乃至図３に示す第１の実施の形態と同一部分には同一符号を付して詳細な説明は省略する。
【００５０】
図６において、紫外線光源２１から照射される紫外線１３は紫外線モニタ１２により検出し、測定部２５で測定される。そして、その測定された結果に基づいて、紫外線光源寿命判定手段４１において紫外線光源２１が寿命に達しているかどうかが自動的に判定され、その結果が表示される。このため、紫外線光源２１がその寿命に近づいており、継続して使用出来ないと判定した場合には、早急に紫外線光源２１を交換することができる。そのため、流入槽５０に流入する二次処理水１ｆに照射される紫外線１３の量が不足することはなく、二次処理水１ｆを確実に消毒することができる。
【００５１】
第５の実施の形態
次に図７により本発明の第５の実施の形態について説明する。図７に示す第５の実施の形態は紫外線モニタ１２に紫外線照射量判定手段４２が接続され、この紫外線照射量判定手段４２により、紫外線モニタ１２により検出し、測定部２５で測定された紫外線光源２１からの紫外線照射量に基づいて、紫外線光源２１から照射される紫外線照射量の過不足を判定するものであり、他は図１乃至図３に示す第１の実施の形態と略同一である。
【００５２】
図７に示す第５の実施の形態において、図１乃至図３に示す第１の実施の形態と同一部分には同一符号を付して詳細な説明は省略する。
【００５３】
図７において、紫外線光源２１から照射される紫外線１３は紫外線モニタ１２により検出し、測定部２５で測定される。そして、その測定された結果に基づいて、紫外線照射量判定手段４２において紫外線光源２１から照射される紫外線照射量の過不足が自動的に判定され、その結果が表示される。このため、紫外線光源２１の紫外線照射量が適量でないと判定された場合には、紫外線光源２１から照射される紫外線照射量を適当な量に調整できる。そのため、流入槽５０に流入する二次処理水１ｆに照射される紫外線１３の量が多すぎたり少なすぎたりすることはなく、二次処理水１ｆを効率よく確実に消毒することができる。
【００５４】
第６の実施の形態
次に図８により本発明の第６の実施の形態について説明する。図８に示す第６の実施の形態は、紫外線モニタ１２の代わりに、紫外線光源２１から照射された紫外線１３を伝送する光ファイバー１４と、光ファイバー１４の紫外線光源２１側端部に接続された蛍光体１９と、光ファイバー１４に接続され、紫外線１３を電気信号に変換する光／電気信号変換器１５とからなる紫外線測定装置２２を用いたものであり、他は図１乃至図３に示す第１の実施の形態と略同一である。
【００５５】
図８に示す第６の実施の形態において、図１乃至図３に示す第１の実施の形態と同一部分には同一符号を付して詳細な説明は省略する。
【００５６】
図８において、紫外線光源２１から照射された紫外線１３は、まず、蛍光体１９によって可視光に変換され、この可視光は光ファイバー１４によって伝送される。光ファイバー１４により伝送された可視光は、光／電気信号変換器１５に導かれて、この光／電気信号変換器１５において、電気信号に変換される。その後、光／電気信号変換器１５で変換された電気信号が測定部２５へ送られて紫外線照射量が求められる。
【００５７】
本実施の形態によれば、紫外線光源２１から照射された紫外線１３から得られた可視光を光／電気信号変換器１５において電気信号に変換し、その後測定部２５により紫外線照射量が求められるので、紫外線光源２１で紫外線１３を発生される際に生じる高周波等の電気ノイズの影響を受けずに、紫外線光源２１により照射される紫外線１３の照射量を測定することができる。
【００５８】
また、この蛍光体１９によって紫外線光源２１により照射された紫外線１３を可視光に変換すると共に、この変換された可視光を光ファイバー１４に導くので、紫外線１３よりも効率良く光ファイバー１４内を伝送することのできる可視光を用いることができ、光ファイバー１４による伝送を効率よく行うことができる。
【００５９】
このように、紫外線光源２１から照射される紫外線１３の量は、より正確に測定されるので、紫外線光源２１がその寿命に近づいている場合、紫外線光源２１の照射する紫外線１３の量が不足している場合等を把握することができる。そのため、早急に紫外線光源２１を交換、調整すること等ができ、流入槽５０に流入する二次処理水１ｆに照射される紫外線１３の量が不足することはなく、二次処理水１ｆを確実に消毒することができる。
【００６０】
第７の実施の形態
次に図９及び図１０により本発明の第７の実施の形態について説明する。図９及び図１０に示す第７の実施の形態は、紫外線モニタ１２の代わりに、紫外線透過性の石英ガラス管６１と、石英ガラス管６１に連結され、内面が鏡面６０となる中空棒１７と、中空棒１７の内部に配置された光／電気信号変換器１５とからなる紫外線測定装置２２を設けたものであり、他は図１乃至図３に示す第１の実施の形態と略同一である。
【００６１】
図９及び図１０に示す第７の実施の形態において、図１乃至図３に示す第１の実施の形態と同一部分には同一符号を付して詳細な説明は省略する。
【００６２】
すなわち、図９及び図１０に示すように、一端が閉じられた石英ガラス管６１の他端開口に、内面が加工されて鏡面６０が形成された中空棒１７が連結されている。また、中空棒１７内の石英ガラス管６１側に石英ガラス窓６２が設けられ、中空棒１７内の閉口側に光／電気信号変換器１５が設けられている。さらに、石英ガラス管６１内には、反射ミラー１６が設置され、また中空棒１７内の光／電気信号変換器１５には測定部２５が接続されている。
【００６３】
図９及び図１０に示すように、紫外線光源２１から照射された紫外線１３は石英ガラス管６１内に入射し、石英ガラス管６１内に入射した紫外線１３は反射ミラー１６で反射される。石英ガラス管６１内の反射ミラー１６で反射された紫外線１３は紫外線窓６２を介して中空棒１７に入射し、中空棒１７に入射した紫外線１３は中空棒１７内の鏡面６０で反射伝送され、中空棒１７内部に配置された光／電気信号変換器１５に導かれ、この光／電気信号変換器１５により電気信号に変換される。その後、光／電気信号変換器１５からの電気信号は測定部２５に送られて、紫外線照射量が測定される。
【００６４】
本実施の形態によれば、石英ガラス管６１内に入射した紫外線１３を鏡面６０により光／電気信号変換器１５まで導き、この光／電気信号変換器１５によって電気信号に変換して測定部２５により測定するので、紫外線光源２１で紫外線１３を発生される際に生じる高周波等の電気ノイズの影響を受けずに、紫外線光源２１により照射される紫外線１３の量を測定することができる。
【００６５】
このため、紫外線光源２１から照射される紫外線１３の量をより正確に測定できるので、紫外線光源２１がその寿命に近づいている場合、紫外線光源２１の照射する紫外線１３の量が不足している場合等を把握することができる。そのため、早急に紫外線光源２１を交換、調整すること等ができ、流入槽５０に流入する二次処理水１ｆに照射される紫外線１３の量が不足することはなく、二次処理水１ｆを確実に消毒することができる。
【００６６】
次に本実施の形態の変形例について、図１１により詳述する。
【００６７】
図１１に示す変形例において、内面に鏡面６０を有する中空棒１７の代わりに、内面に鏡面６０を有するフレキシブル中空パイプ１８が用いられている。フレキシブル中空パイプ１８は湾曲することができるので、このフレキシブル中空パイプ１８を所望空間の形状にあわせて湾曲させることにより、所望空間内に配置することができ、これにより所望空間内の紫外線１３の照射量を測定する際には有益である。
【００６８】
第８の実施の形態
次に図１２により本発明の第８の実施の形態について説明する。図１２に示す第８の実施の形態は、紫外線モニタ１２が、紫外線透過性の固体材料からなる保護カバー２０で覆われているものであり、他は図１乃至図３に示す第１の実施の形態と略同一である。
【００６９】
図１２に示す第８の実施の形態において、図１乃至図３に示す第１の実施の形態と同一部分には同一符号を付して詳細な説明は省略する。
【００７０】
図１２において、紫外線モニタ１２の受光部が紫外線透過性の固体材料からなる保護カバー２０により覆われている。このように紫外線モニタ１２が保護カバー２０により覆われることにより、紫外線モニタ１２に汚れが付着することを防止できる。このため、紫外線光源２１から照射される紫外線１３の量を正確に測定でき、紫外線光源２１がその寿命に近づいている場合、紫外線光源２１の照射する紫外線１３の量が不足している場合等を把握することができる。そのため、早急に紫外線光源２１を交換、調整すること等ができ、流入槽５０に流入する二次処理水１ｆに照射される紫外線１３の量が不足することはなく、二次処理水１ｆを確実に消毒することができる。
【００７１】
ここで、保護カバー２０に用いられる紫外線透過性の固体材料としては、紫外線１３を透過する石英ガラス、フッ素樹脂等を用いることができる。また、保護カバー２０に汚れが付着することを防止するために、保護カバー２０の表面を更に光触媒又はフッ素系樹脂により、コーティング加工してもよい。さらに、保護カバー２０に汚れが付着することをより効率的に防ぐために、保護カバー２０を手動又は自動で洗浄する手段を紫外線モニタ１２に設けることができる。
【００７２】
なお、上記において、各第１乃至第１１の実施の形態を個別に説明したが、これら第１乃至第１１の実施の形態を任意組合せ、あるいは、全て組合せてもよい。
【００７３】
また、上記の各実施の形態においては、本発明の紫外線消毒システム１１を下水処理システム１００内で用いた態様で説明したが、これに限ることなく、本発明の紫外線消毒システム１１は浄水処理システム内などでも用いることができる。
【図面の簡単な説明】
【００７４】
【図１】本発明による下水処理システムの概略を示す構成図。
【図２】本発明による貯蔵池及び紫外線消毒システムの概略並びに紫外線消毒システムの第１の実施の形態を示す構成図。
【図３】本発明による紫外線消毒システムの第１の実施の形態を示す構成図。
【図４】本発明による紫外線消毒システムの第２の実施の形態を示す構成図。
【図５】本発明による紫外線消毒システムの第３の実施の形態を示す構成図。
【図６】本発明による紫外線消毒システムの第４の実施の形態を示す構成図。
【図７】本発明による紫外線消毒システムの第５の実施の形態を示す構成図。
【図８】本発明による紫外線消毒システムの第６の実施の形態を示す構成図。
【図９】本発明による紫外線消毒システムの第７の実施の形態を示す構成図。
【図１０】本発明による紫外線消毒システムの第７の実施の形態を示す構成図。
【図１１】本発明による紫外線消毒システムの第７の実施の形態を示す構成図。
【図１２】本発明による紫外線消毒システムの第８の実施の形態を示す構成図。
【符号の説明】
【００７５】
１ａ、１ｂ    下水
１ｃ、１ｄ    一次処理水
１ｅ、１ｆ    二次処理水
１ｇ    放流水
２    汚水調整池
３    最初沈殿池
４    余剰汚泥
５    エアレーションタンク
６    最終沈殿池
８    貯蔵池
９    濃縮タンク
１０    脱水機
１１    紫外線消毒システム
１２，１２ａ、１２ｂ    紫外線モニタ
１３    紫外線
１４    光ファイバー
１５    光／電気信号変換器
１６    反射ミラー
１７    中空棒
１８    フレキシブル中空パイプ
１９    蛍光体
２０    保護カバー
２１、２１ａ、２１ｂ    紫外線光源
２２    紫外線測定装置
２５    測定部
３０    連結路
３１    動力機器
３２    可動バルブ
３３    可動堰
４１    紫外線光源寿命判定手段
４２    紫外線照射量判定手段
５０    流入槽
６０    鏡面
６１    石英ガラス管
６２    石英ガラス窓
１００    下水処理システム
【図１】
2008068203.tif 000003
【図２】
2008068203.tif 000004
【図３】
2008068203.tif 000005
【図４】
2008068203.tif 000006
【図５】
2008068203.tif 000007
【図６】
2008068203.tif 000008
【図７】
2008068203.tif 000009
【図８】
2008068203.tif 000010
【図９】
2008068203.tif 000011
【図１０】
2008068203.tif 000012
【図１１】
2008068203.tif 000013
【図１２】
2008068203.tif 000014